(57)【要約】      （修正有） 【課題】衛生的な一体型匙と箸を提供する。【解決手段】ポリカーボネート７５％ないし８５％とガラス繊維１５％ないし２５％を混合した材質で形成され,匙を上下方向に二等分した形状の左匙と箸および右匙と箸で左右一対を成す左右本体１００;前記左右本体の上端を一体型に連結することで、ハサミのような形態になる上端連結部１１０；前記上端連結部下端に形成されて前記左右本体を滑らかに動かせ,互いに反れないようにする為のヒンジ部１２０;前記ヒンジ部以下を動かして前記左右本体下端に飲食物を摘むか盛る事が出来る様にする下端飲食物接触部１３０;前記下端飲食物接触部に形成されて飲食物がこぼれない様にする為に,左右が互いに対応して噛み合う様にするジグザグ形の鋸の歯部１４０;前記鋸の歯部を下端に形成する下端飲食物接触部から上端連結部に至る部分の全体長さの中央後面に突出したように形成される匙と箸支え部から成る。 【選択図】図２
2007014714.tif 000002
【特許請求の範囲】
【請求項１】
匙と箸とを一体型にする一体型匙と箸に於いて、ポリカーボネート７５％ないし８５％とガラス繊維１５％ないし２５％を混合した材質で形成され、匙を上下方向に二等分した形状の左匙と箸および右匙と箸で左右一対を成す左右本体；前記左右本体の上端を一体型に連結することでハサミのような形態になる上端連結部;前記上端連結部下端に形成され、前記左右本体を滑らかに動かせ、互いに反れる事がないようにする為のヒンジ部;前記ヒンジ部以下を動かして、前記左右本体下端に飲食物を摘むか盛る事が出来るようにする下端飲食物接触部;前記下端飲食物接触部に形成されて飲食物がこぼれないようにする為、左右が互いに対応して噛み合う様にするジグザグ形の鋸の歯部;前記鋸の歯部を下端に形成する下端飲食物接触部から上端連結部に至る部分の全体長さの中央後面に突出した形状で形成される匙と箸支え部;で構成され、前記匙と箸支え部から上端連結部に至る部分は、前記匙と箸支え部から下端飲食物接触部に至る部分とを比較すると、両側の幅は狭く、前後の厚みが厚くなる様に形成されて成ることを特徴とする衛生的な一体型匙と箸。
【請求項２】
前記左右本体を形成する材質はポリカーボネート８０％とガラス繊維２０％の比率で混合することを特徴とする請求項１に記載の衛生的な一体型匙と箸。 
【請求項３】
前記左右本体が両側に開かれている時には、上端から下端へ向かうに連れて、左右の間隔が広くなっているが、前記下端飲食物接触部を利用して飲食物を摘むか盛る時には、前記左右本体上端から下端へ向かうに連れて左右の間隔が狭くなる様にすることを特徴とする請求項１に記載の衛生的な一体型匙と箸。 
【請求項４】
前記ヒンジ部は、左右本体を成す左匙と箸および右匙と箸が互いに対向する内側面と同じ高さに位置し、前記左右本体を後面から見た時、緩慢な曲線状に掘られて窪んだように形成される事を特徴とする請求項１に記載の衛生的な一体型匙と箸。 
【請求項５】
前記ヒンジ部は、上端連結部下端の左右本体に２個を連接して形成する事で変形できるのを特徴とする請求項１に記載の衛生的な一体型匙と箸。 
【請求項６】
前記下端飲食物接触部を利用して飲食物を摘む時、前記匙と箸支え部から下端飲食物接触部に至る部分の内側面が一直線に結合されるようにして、前記左右本体の左匙と箸および右匙と箸が、互いに反れない様にする事を特徴とする請求項１に記載の衛生的な一体型匙と箸。
【請求項７】
前記匙と箸支え部は前記左右本体後面の中央乃至下端に位置を変えて形成する事が出来るのを特徴とする請求項１に記載の衛生的な一体型匙と箸。 
【請求項８】
前記匙と箸支え部を基準に上端連結部側の重さより下端飲食物接触部側の重さを軽くして、匙と箸を食卓に置いた時、前記匙と箸支え部と上端連結部が食卓に触れ、前記下端飲食物接触部は食卓に触れない様にする事を特徴とする請求項１に記載の衛生的な一体型匙と箸。
【発明の詳細な説明】
【技術分野】
【０００１】
本発明は箸と匙の機能を兼ね備えた一体型匙と箸に関する。ポリカーボネート７５％ないし８５％とガラス繊維１５％ないし２５％を混合した材質で形成され、煮沸消毒したり冷凍したりしても外形が変形せず、飲食物の色が匙と箸に染みる事が無く、前記匙と箸の上端部にヒンジ部を形成することで滑らかに動かして使用する事が出来、飲食物を摘む部位が反れる事がないので飲食物がこぼれず、食事中に前記匙と箸を食卓に置いた時、飲食物を摘むか盛る部位が食卓に触れない事を特徴とする。
【背景技術】
【０００２】
従来の一体型匙と箸は飲食物を摘む時、前記飲食物を摘む部位が反れて隙間が生じるため不便であった。また、外形が変形するのを防止する為に、弾性が強い材質で製造されていたが使用の際、力を込めなければならないため指に無理がかかるという問題があった。さらに、キムチやカレーといった色の濃い飲食物を食べる時には飲食物の色が匙と箸に染みてしまってなかなか色が落ちなかった。しかも、沸騰したお湯で匙と箸の形態が変形されるため、煮沸消毒をする事が出来なかったし、匙と箸を食卓に置く時も飲食物を摘む部位が食卓に触れて食卓と匙と箸が全て汚れるという衛生上の問題があった。 
【０００３】
図１ａは従来の一体型匙と箸をつぼめた時の様子を示した正面図で、飲食物を摘む部分（１０）の上端から匙と箸の左右連結部（２０）の下端に至る部分の内側面が結合されず、 曲線を成して飲食物を摘むか盛った時、匙と箸の左右が互いに反れて前記飲食物を摘んだり盛ったりするのが不便であるという問題があった。また、図1ｂは従来の一体型匙と箸を食卓に置いた時の様子を示した側面図で、飲食物を摘む部分（１０）が食卓に触れ、食卓と飲食物を摘む部分（１０）が全て汚れるという問題があった。
【発明の開示】
【発明が解決しようとする課題】
【０００４】
前述のような従来技術の問題点を解決する為に案出した本発明の目的は、ポリカーボネート７５％ないし８５％とガラス繊維１５％ないし２５％を混合させた材質で形成することで、匙と箸を煮沸消毒をする事が出来る様にし、前記沸騰したお湯に入れて煮沸したり冷凍したりしても形態が変形されず、一定の弾力を保って、容易に損傷されることなく、飲食物の色が匙と箸に染み込まない様にする衛生的な匙と箸を提供する事にある。 
【０００５】
本発明の他の目的は、下端飲食物接触部を利用して飲食物を摘む時、前記下端飲食物接触部から匙と箸支え部に至る部分が一直線に結合される様にし、上端連結部下端にヒンジ部を形成して、匙と箸の左右をつぼめた時、前記下端飲食物接触部が互いに反れなく、弱い握力(摘む力)でも使用が容易で、指にも無理がかからない様にする衛生的な一体型匙と箸を提供する事にある。 
【０００６】
本発明のまた他の目的は、匙と箸を食卓に置いた時、飲食物を摘む下端飲食物接触部が食卓に触れない衛生的な一体型匙と箸を提供する事にある。 
【課題を解決するための手段】
【０００７】
前記の目的を達成する為の本発明は、ポリカーボネート８０％とガラス繊維２０％を混合した材質で形成され匙と箸を上下方向に二等分した形状の左匙と箸および右匙と箸で左右一対を成す左右本体（１００）;前記左右本体の上端を一体型に連結することでハサミの様になる上端連結部（１１０）;前記上端連結部下端に形成され、前記左右本体を滑らかに動かせて互いに反れる事がない様にする為のヒンジ部（１２０）;前記ヒンジ部以下を動かして前記左右本体下端に飲食物を摘むか盛る事が出来るようにする下端飲食物接触部（１３０）;前記下端飲食物接触部に形成され、飲食物がこぼれないようにする為に左右が互いに対応して噛み合う様になっているジグザグ形の鋸の歯部（１４０）;前記鋸の歯部を下端に形成する下端飲食物接触部から上端連結部に至る全体長さの中央後面に突出した形状で形成される匙と箸支え部（１５０）;で構成され、前記匙と箸支え部（１５０）から上端連結部（１１０）に至る部分は、前記匙と箸支え部（１５０）から下端飲食物接触部（１３０）に至る部分より両側の幅が狭く、前後の厚みが厚くなる様に形成されていて、既存の個別的な箸と同様の使用効果を得る事が出来る。また、使用時不器用でないようにし、本発明に従う衛生的な一体型匙と箸を長期間使用する場合でも、箸を使用する技術が衰えるのを防止する事が出来る様にした。
【発明の効果】
【０００８】
本発明はポリカーボネート７５％ないし８５％とガラス繊維１５％ないし２５％を混合させた材質で形成され、匙と箸を煮沸消毒する事が出来、ある程度の弾力を有しているため、容易に損傷されることなく、匙と箸に間隔や溝がないため洗浄時、異物が挟まらず、飲食物の色が匙と箸に染み込むことがないので、清潔に使用及び管理する事が出来る効果がある。 
【０００９】
本発明は、下端飲食物接触部を利用して飲食物を摘む時、前記下端飲食物接触部から匙と箸支え部に至る部分が一直線に結合されるようにし、上端連結部下端にヒンジ部を形成して匙と箸の左右をつぼめた時、前記下端飲食物接触部が互いに反れないので、飲食物がこぼれないし、弱い握力でも不便無く使用する事が出来て指に無理がかからない様にする効果がある。 
【００１０】
本発明は、年令や指の太さに関係無く使用可能であり、使用方法が容易で両手で全てを使用する事が出来る効果があり、一般の箸の使用方法を容易に慣らす事が出来る効果がある。 
【００１１】
本発明は、匙と箸を食卓に置いた時、飲食物を摘む下端飲食物接触部が食卓に触れない様にして、食卓と下端飲食物接触部が汚れない効果がある。
【発明の実施の形態】
【００１２】
本発明に従う衛生的な一体型匙と箸はポリカーボネート７５％ないし８５％とガラス繊維１５％ないし２５％を混合した材質で形成しポリカーボネートとガラス繊維の比率を８：２に混合するのが最も望ましい。 
【００１３】
図２は本発明に従う衛生的な一体型匙と箸の斜視図であり、前記図２を参照してより詳細に説明する。前記匙と箸はポリカーボネート７５％ないし８５％とガラス繊維１５％ないし２５％を混合した材質で形成され、左匙と箸および右匙と箸で一対を成す左右本体（１００）と、前記左右本体上端を一体型に連結させる上端連結部（１１０）と前記上端連結部下端に形成され、前記左右本体（１００）を滑らかに動かせて互いに反れる事が無いようにする為のヒンジ部（１２０）と、前記左右本体下端に飲食物を摘むか盛る事が出来るようにし、飲食物を摘まむ時両側が互いに反れる事が無いようにする為の鋸の歯部（１４０）を形成する下端飲食物接触部（１３０）と、前記匙と箸の全体長さの中央後面に突出した形態で形成される匙と箸支え部（１５０）で構成されている。 
【００１４】
前記ヒンジ部（１２０）は左右本体（１００）の後面から見れば窪んで掘られた形状であるが、前面で見れば別途に窪んで掘られた部分無しに前記ヒンジ部（１２０）が始まる部分で匙と箸支え部（１５０）に行く程、両側えの幅が次第に広くなる形状であり、前記左右本体（１００）の上端部でヒンジ部（１２０）が屈曲点に作用して、使用者に対して小さい握力でも不便無しに滑らかに動かしながら反れない様にした。
【００１５】
図３ａ、ｂは本発明に従う衛生的な一体型匙と箸の正面図を示したもので、左右本体（１００）が両側に開かれている時(図３ａ)には、上端から下端へ向かうにつれて、間隔が広くなっているが、下端飲食物接触部（１３０）を利用して飲食物を摘むか盛る時(図３ｂ)には、前記左右本体（１００）上端から下端へ向かうにつれて、間隔が狭くなっている。また、前記匙と箸支え部(正面図には現れない)から下端飲食物接触部（１３０）に至る部分の内側面が一直線に結合され、前記左右本体の左匙と箸および右匙と箸が互いに反れないように設計されているので、前記匙と箸使用時、通常の箸を使用するのと同じ感覚で使用する事が出来て、使用するのに不便さを感じず、また、不器用で箸を使用できない人達には箸の使用方法を容易に修得する事が出来る様にした。 
【００１６】
図４は本発明に従う衛生的な一体型匙と箸の背面図であり、前記図４を参照して詳細に説明する。本発明に従う衛生的な一体型匙と箸が滑らかに動かせるようにし、飲食物を摘まむ時、反れない様にするヒンジ部（１２０）は、左右本体（１００）を成す左匙と箸および右匙と箸が互いに対向する内側面と同じ高さに位置し、前記左右本体を後面から見た時、緩慢な曲線状で、掘られて窪んだ様な形状で形成されており、匙と箸支え部（１５０）は下方の部分を平坦にして食卓に置いた時、安定でするようにした。 
【００１７】
図５は本発明に従う衛生的な一体型匙と箸の側面図を示したもので、匙と箸支え部（１５０）を基準に上端連結部（１１０）側の重さより下端飲食物接触部（１３０）側の重さをより軽くして、前記匙と箸を食卓に置いた時、匙と箸支え部（１５０）と上端連結部（１１０）が食卓に触れ、下端飲食物接触部（１３０）は食卓に触れない様にして食卓と下端飲食物接触部が汚れない様にした。
【００１８】
図６ないし図７は本発明に従う衛生的な一体型匙と箸の他の実施例を示したもので、前記匙と箸支え部（１５０）は前記左右本体（１００）後面の中央ないし下端に位置を変更して形成する事が出来、前記ヒンジ部（１２０）は上端連結部（１１０）下端の左右本体（１００）に２個を連接して形成させる事で変形する事が出来、前記匙と箸支え部（１５０）の位置を左右本体（１００）後面の下端に形成させる時(図７参照)には、図示された如く、左右本体（１００）上端から匙と箸支え部（１５０）上端に至る部分の長さ方向へ向かう、前後面方向の厚みが上端から下端方向に行く程、次第に狭くなる様にする。 
【００１９】
前述した如く本発明に従う望ましい実施例を説明したが、本発明は前記した実施例に限定されず、特許請求の範囲で請求する本発明の要旨を外れる事無しに、当該発明が属する分野で通常の知識を持つ者であれば誰でも多様な変更実施が可能な範囲まで本発明の技術精神であると言えよう。 
【図面の簡単な説明】
【００２０】
【図１ａ】従来の一体型匙と箸を示した図面。
【図１ｂ】従来の一体型匙と箸を示した図面。
【図２】本発明に従う衛生的な一体型匙と箸の斜視図。
【図３ａ】本発明に従う衛生的な一体型匙と箸の正面図。
【図３ｂ】本発明に従う衛生的な一体型匙と箸の正面図。
【図４】本発明に従う衛生的な一体型匙と箸の背面図。
【図５】本発明に従う衛生的な一体型匙と箸の側面図。
【図６】本発明に従う衛生的な一体型匙と箸の他の実施例。
【図７】本発明に従う衛生的な一体型匙と箸の又,他の実施例。
【符号の説明】
【００２１】
１００： 左右本体
１１０： 上端連結部
１２０： ヒンジ部
１３０： 下端飲食物接触部
１４０： 鋸の歯部
１５０： 匙と箸支え部
【図１ａ】
2007014714.tif 000003
【図１ｂ】
2007014714.tif 000004
【図２】
2007014714.tif 000005
【図３ａ】
2007014714.tif 000006
【図３ｂ】
2007014714.tif 000007
【図４】
2007014714.tif 000008
【図５】
2007014714.tif 000009
【図６】
2007014714.tif 000010
【図７】
2007014714.tif 000011